(57)【特許請求の範囲】
【請求項１】
住宅の階段を構築するために必要とされる側板、踏み板、踏込板、踏込板廻り、及び上段框等の、個々の構成部品を、発注側端末装置から通信ネットワークを介してサーバーに発注することが可能な受発注支援システムであって、
前記サーバーは、
前記階段を、直階段の段数、廻り階段の段数、廻り方向、上部階段の有無、及び上部階段の段数等の、複数の構成要素に分別するとともに、該構成要素の組合せ可能なパターンを、前記構成要素の組合せによって得られる前記階段の形状図面として記憶した形状記憶手段と、
個々の前記構成部品の標準寸法を前記構成部品に対応させて記憶した寸法記憶手段と、
前記発注側端末装置から前記通信ネットワークを介して、前記構成要素の希望組合せパターンを含む組合せ情報が入力されると、該希望組合せパターンに対応する前記階段の形状図面を前記形状記憶手段から抽出する形状抽出手段と、
該形状抽出手段によって抽出された前記階段の前記形状図面を、前記通信ネットワークを介して前記発注側端末装置に出力する形状情報出力手段と、
前記発注側端末装置から前記通信ネットワークを介して、柱角の大きさ、柱と柱との間隔、踏み板幅、踏み板厚、階高、踏み面の高さ、及び鼻の出等、階段各部における希望寸法を含む寸法情報がさらに入力されると、該寸法情報及び前記組合せ情報に基づいて、前記階段を構築するのに適した前記構成部品の種類を選定するとともに、夫々の構成部品における必要寸法を算出する必要寸法算出手段と、
算出された前記必要寸法に一致する前記構成部品、または一致する構成部品がない場合には前記必要寸法よりも大きな寸法の前記構成部品を前記寸法記憶手段から抽出する構成部品抽出手段と、
抽出された前記構成部品に関する情報を前記発注側端末装置に送信する出力制御手段と
を具備することを特徴とする受発注支援システム。
【請求項２】
前記形状記憶手段には、前記階段の全体的な形状を表す全体形状図面と、前記階段の組合せ途中における部分的な形状を表す部分形状図面とが記憶され、
前記形状情報出力手段は、前記発注側端末装置から順次入力される前記組合せ情報に応答して、前記部分形状図面から前記全体形状図面に変化するように、出力する形状図面を段階的に変更させる
ことを特徴とする請求項１に記載の受発注支援システム。
【請求項３】
前記寸法記憶手段には、前記標準寸法とともに、個々の前記構成部品の販売価格が記憶され、
前記サーバーは、
前記発注側端末装置から入力された前記組合せ情報及び前記寸法情報に基づいて、前記構成部品毎の必要個数を算出する個数算出手段と、
該個数算出手段によって算出された必要個数、及び前記寸法記憶手段に記憶された販売価格を含む見積情報を、前記通信ネットワークを介して前記発注側端末装置に出力する見積情報出力手段と
をさらに備えることを特徴とする請求項１または請求項２に記載の受発注支援システム。
【請求項４】
住宅の階段を構築するために必要とされる側板、踏み板、踏込板、踏込板廻り、及び上段框等の、個々個々の構成部品を、発注側端末装置から通信ネットワークを介してサーバーに発注することが可能な受発注支援システムにおいて使用される受発注支援プログラムであって、
前記階段を、直階段の段数、廻り階段の段数、廻り方向、上部階段の有無、及び上部階段の段数等の、複数の構成要素に分別するとともに、該構成要素の組合せ可能なパターンを、前記構成要素の組合せによって得られる前記階段の形状図面として記憶した形状記憶手段、
個々の前記構成部品の標準寸法を前記構成部品に対応させて記憶した寸法記憶手段、
前記発注側端末装置から前記通信ネットワークを介して、前記構成要素の希望組合せパターンを含む組合せ情報が入力されると、該希望組合せパターンに対応する前記階段の形状図面を前記形状記憶手段から抽出する形状抽出手段、
該形状抽出手段によって抽出された前記階段の前記形状図面を、前記通信ネットワークを介して前記発注側端末装置に出力する形状情報出力手段、
前記発注側端末装置から前記通信ネットワークを介して、柱角の大きさ、柱と柱との間隔、踏み板幅、踏み板厚、階高、踏み面の高さ、及び鼻の出等、階段各部における希望寸法を含む寸法情報がさらに入力されると、該寸法情報及び前記組合せ情報に基づいて、前記階段を構築するのに適した前記構成部品の種類を選定するとともに、夫々の構成部品における必要寸法を算出する必要寸法算出手段、
算出された前記必要寸法に一致する前記構成部品、または一致する構成部品がない場合には前記必要寸法よりも大きな寸法の前記構成部品を前記寸法記憶手段から抽出する構成部品抽出手段、
及び、抽出された前記構成部品に関する情報を前記発注側端末装置に送信する出力制御手段として、前記サーバーを機能させることを特徴とする受発注支援プログラム。
【発明の詳細な説明】
【０００１】
【発明の属する技術分野】
本発明は、住宅構成物の受発注支援システム、及び受発注支援プログラムに関するものであり、特に、階段、玄関ユニット、またはバスユニット等の住宅構成物を構築するために必要とされる個々の構成部品を、通信ネットワークを介して受発注することが可能な住宅構成物の受発注支援システム、及びそのシステムにかかるプログラムに関するものである。
【０００２】
【従来の技術】
例えば、階段を構築するにあたって、その構築に必要とされる構成部品を揃える場合、通常、階段の形状を示す図面を作成し、階段の寸法等必要な情報を記載した書面とともに、メーカーや販売店等（以下、受注者という）に送付するようにしている。
【０００３】
【発明が解決しようとする課題】
しかし、階段の形状を示すために、詳細な図面を作成しようとすると、多大な手間がかかることから、発注者の負担が大きくなっていた。一方、施主や大工が図面を作成した場合には、フリーハンドの簡略化された図面となることが多いため、受注者は図面から正確な形状を認識することが困難となり、受注内容の確認作業に手間取る恐れがあった。しかも、加工に必要な情報が図面に記載されていないときには、受注者が改めて図面を作成し直すこともあり、この場合、受注者の労力が必要となり、受発注に伴う処理作業を円滑に進めることができなかった。
【０００４】
また、一般に、受注者（例えばメーカー）は、常備している標準部品の種類・仕様等を、カタログやガイドブックによって案内しているが、発注者は、案内された部品にとらわれず、自由な形状または自由な寸法で図面を作成する場合があった。そして、この場合、形状や寸法の僅かな違いにより、常備された標準部品では対応できず、納期が大幅に遅れたり、コストの増大をもたらすことがあった。
【０００５】
このように、受注者であるメーカーは、標準部品を利用させることにより、発注者からの注文に対して、安価に且つ速やかに対応しようとしても、カタログやガイドブックだけでは発注者に伝わらず、その趣旨を徹底することができなかった。
【０００６】
さらに、設計に不慣れな工務店等が、階段の構成部品を発注する際には、階段の形状と、個々の構成部品の寸法とがどのように関係し合うのか理解できない場合があり、この場合には、受注者及び発注者間での、発注内容の調整に手間取ることが多々あった。
【０００７】
そこで、本発明は、上記の実情に鑑み、複雑な加工を伴う住宅構成物の形状を、図面を作成することなく簡単に且つ正確に決定させ、また、常備された標準部品を用いることで安価に且つ速やかに対応でき、さらに、受注者及び発注者間での調整に手間取ることのない受発注支援システム、及びプログラムの提供を課題とするものである。
【０００８】
【課題を解決するための手段】
請求項１の発明にかかる受発注支援システムは、「住宅の階段を構築するために必要とされる側板、踏み板、踏込板、踏込板廻り、及び上段框等の、個々の構成部品を、発注側端末装置から通信ネットワークを介してサーバーに発注することが可能なものである。特に、前記サーバーは、前記階段を、直階段の段数、廻り階段の段数、廻り方向、上部階段の有無、及び上部階段の段数等の、複数の構成要素に分別するとともに、該構成要素の組合せ可能なパターンを、前記構成要素の組合せによって得られる前記階段の形状図面として記憶した形状記憶手段と、個々の前記構成部品の標準寸法を前記構成部品に対応させて記憶した寸法記憶手段と、前記発注側端末装置から前記通信ネットワークを介して、前記構成要素の希望組合せパターンを含む組合せ情報が入力されると、該希望組合せパターンに対応する前記階段の形状図面を前記形状記憶手段から抽出する形状抽出手段と、該形状抽出手段によって抽出された前記階段の前記形状図面を、前記通信ネットワークを介して前記発注側端末装置に出力する形状情報出力手段と、前記発注側端末装置から前記通信ネットワークを介して、柱角の大きさ、柱と柱との間隔、踏み板幅、踏み板厚、階高、踏み面の高さ、及び鼻の出等、階段各部における希望寸法を含む寸法情報がさらに入力されると、該寸法情報及び前記組合せ情報に基づいて、前記階段を構築するのに適した前記構成部品の種類を選定するとともに、夫々の構成部品における必要寸法を算出する必要寸法算出手段と、算出された前記必要寸法に一致する前記構成部品、または一致する構成部品がない場合には前記必要寸法よりも大きな寸法の前記構成部品を前記寸法記憶手段から抽出する構成部品抽出手段と、抽出された前記構成部品に関する情報を前記発注側端末装置に送信する出力制御手段とを具備する」ものである。
【０００９】
ここで、「構成部品」とは、住宅構成物を構成する複数の部品であり、例えば、階段を住宅構成物とした場合、構成部品には、側板、踏み板、踏込板、踏込板廻り、及び上段框等が含まれる。また、「住宅構成物の構成要素」とは、住宅構成物を機能的または形状的な観点から分別したときに、基となる成分であり、例えば、階段を住宅構成物とした場合、構成要素には、直階段の段数、廻り階段の段数、廻り方向、上部階段の有無、及び上部階段の段数等の項目が含まれる。
【００１０】
また、「形状図面」には、平面図、斜視図、または正面図等が含まれる。なお、図面は設計図面に限らず簡略化された図面であってもよい。つまり、発注者が住宅構成物の大まかな形状を確認できる程度のものであればよい。「標準寸法」とは、既製部品のサイズのことであり、ここでは、同じ名称の部品であっても、サイズが異なる場合には、互いに異なる構成部品とする。さらに、「住宅構成物の各部における希望寸法」とは、構築する住宅構成物に関する寸法のことであり、例えば、階段を住宅構成物とした場合、各部には、階高、踏み面、柱角、及び鼻の出等が含まれる。
【００１１】
したがって、請求項１の発明の受発注支援システムによれば、サーバーは、発注側端末装置から組合せ情報が入力（送信）されると、組合せ情報に含まれる希望組合せパターンに対応する形状図面を、形状記憶手段から抽出し、発注側端末装置に送信する。具体的に階段を例として説明すると、発注側端末装置において直階段の段数、廻り階段の段数、廻り方向、上部階段の有無、及び上部階段の段数等、各構成要素の条件が入力または選択されると、サーバーでは、その構成要素の組合せに一致する階段の形状図面を複数の図面の中から抽出し、発注側端末装置に送信する。これにより、発注側端末装置において形状図面を表示させることが可能になる。なお、形状図面は、階段（住宅構成物）の大小に関係なく、組合せパターンが同じであれば、等しいものとなる。
【００１２】
続いて、サーバーは、発注側端末装置から寸法情報が入力（送信）されると、住宅構成物の各部における希望寸法と、前述した組合せ情報とに基づいて、その住宅構成物（希望組合せパターンによる住宅構成物）を構築するのに適した構成部品を選定し、少なくとも、その構成部品の標準寸法を寸法記憶手段から抽出し、発注側端末装置に送信する。具体的に階段を例として説明すると、発注側端末装置において、階段の階高、踏み面、柱角、及び鼻の出等の寸法が入力または選択されると、サーバーでは、その寸法の階段を構築することが可能な部品を選ぶとともに、その部品に対応する標準寸法を抽出し、発注側端末装置に送信する。
【００１３】
このように、構成部品の標準寸法が発注側端末装置に送信されることにより、発注側端末装置では、住宅構成物の構築に必要な構成部品、及びその寸法を表示させることが可能になる。
【００１４】
請求項２の発明にかかる受発注支援システムは、請求項１の記載の受発注支援システムにおいて、「前記形状記憶手段には、前記階段の全体的な形状を表す全体形状図面と、前記階段の組合せ途中における部分的な形状を表す部分形状図面とが記憶され、前記形状情報出力手段は、前記発注側端末装置から順次入力される前記組合せ情報に応答して、前記部分形状図面から前記全体形状図面に変化するように、出力する形状図面を段階的に変更させる」ものである。
【００１５】
したがって、請求項２の発明の受発注支援システムによれば、請求項１の発明の作用に加え、発注側端末装置から、希望組合せパターンとして、複数の構成要素に関する情報が順次入力されると、サーバーは、住宅構成物の中でパターンが確定された部分から順番に形状図面を出力し、最終的に全体形状図面を出力する。具体的に、階段を例として説明すると、直階段に関する情報が入力されると、その情報に応じた直階段の形状図面を出力し、その後、廻り階段に関する情報が入力されると、直階段及び廻り階段を組合せた形状図面を出力し、最終的に階段全体の形状図面を出力する。
【００１６】
請求項３の発明にかかる受発注支援システムは、請求項１または請求項２に記載の受発注支援システムにおいて、前記寸法記憶手段には、前記標準寸法とともに、個々の前記構成部品の販売価格が記憶され、前記サーバーは、前記発注側端末装置から入力された前記組合せ情報及び前記寸法情報に基づいて、前記構成部品毎の必要個数を算出する個数算出手段と、該個数算出手段によって算出された必要個数、及び前記寸法記憶手段に記憶された販売価格を含む見積情報を、前記通信ネットワークを介して前記発注側端末装置に出力する見積情報出力手段とをさらに備えるものである。
【００１７】
したがって、請求項３の発明の受発注支援システムによれば、請求項１または請求項２の発明の作用に加え、サーバーは、組合せ情報及び寸法情報に基づいて、構成部品毎の必要個数を算出するとともに、算出された必要個数と、構成部品の販売価格とを発注側端末装置に出力する。これにより、発注側端末装置では、これらの情報を見積情報として表示させることが可能になる。
【００１８】
請求項４の発明にかかる受発注支援プログラムは、「住宅の階段を構築するために必要とされる側板、踏み板、踏込板、踏込板廻り、及び上段框等の、個々の構成部品を、発注側端末装置から通信ネットワークを介してサーバーに発注することが可能な受発注支援システムにおいて使用されるものである。特に、前記階段を、直階段の段数、廻り階段の段数、廻り方向、上部階段の有無、及び上部階段の段数等の、複数の構成要素に分別するとともに、該構成要素の組合せ可能なパターンを、前記構成要素の組合せによって得られる前記階段の形状図面として記憶した形状記憶手段、個々の前記構成部品の標準寸法を前記構成部品に対応させて記憶した寸法記憶手段、前記発注側端末装置から前記通信ネットワークを介して、前記構成要素の希望組合せパターンを含む組合せ情報が入力されると、該希望組合せパターンに対応する前記階段の形状図面を前記形状記憶手段から抽出する形状抽出手段、該形状抽出手段によって抽出された前記階段の前記形状図面を、前記通信ネットワークを介して前記発注側端末装置に出力する形状情報出力手段、前記発注側端末装置から前記通信ネットワークを介して、柱角の大きさ、柱と柱との間隔、踏み板幅、踏み板厚、階高、踏み面の高さ、及び鼻の出等、階段各部における希望寸法を含む寸法情報がさらに入力されると、該寸法情報及び前記組合せ情報に基づいて、前記階段を構築するのに適した前記構成部品の種類を選定するとともに、夫々の構成部品における必要寸法を算出する必要寸法算出手段、算出された前記必要寸法に一致する前記構成部品、または一致する構成部品がない場合には前記必要寸法よりも大きな寸法の前記構成部品を前記寸法記憶手段から抽出する構成部品抽出手段、及び、抽出された前記構成部品に関する情報を前記発注側端末装置に送信する出力制御手段として、前記サーバーを機能させる」ものである。
【００１９】
したがって、請求項４の発明の受発注支援プログラムによれば、サーバーにおいて実行させることにより、発注側端末装置に対して、住宅構成物の形状図面を出力することが可能になるとともに、住宅構成物の構築に必要とされる構成部品の標準寸法を出力することが可能になる。なお、具体的な処理については、請求項１の作用と同様であるため、ここでは詳細な説明を省略する。
【００２０】
【発明の実施の形態】
以下、本発明の一実施形態である住宅構成物の受発注支援システム１（以下、受発注支援システム１と称す）について、図１乃至図６に基づき説明する。図１は受発注支援システム１全体の構成を示す説明図であり、図２は受発注支援システム１におけるサーバー２の機能的構成を示すブロック図であり、図３は支援システム１における発注側端末装置４の機能的構成を示すブロック図である。また図４及び図５は発注側端末装置４における表示画面の一例を示す説明図であり、図６はサーバー２における処理の流れを示すフローチャートである。
【００２１】
本実施形態の受発注支援システム１は、住宅構成物を構築するために必要とされる個々の構成部品を、ネットワーク３を介して発注することが可能なシステムである。なお、住宅構成物とは、住宅の一部を構成する集合部材のことであり、例えば、階段、キッチンユニット、玄関ユニット、収納ユニット、トイレユニット、及びバスユニット等を含めることができる。本実施形態では、階段を住宅構成物とした場合について具体的に説明する。
【００２２】
受発注支援システム１は、図１に示すように、主な構成として、サーバー２と、このサーバー２にネットワーク３（インターネット等）を介して接続された複数の発注側端末装置４とを備えている。なお、サーバー２は受注者５によって管理され、発注側端末装置４は発注者６（建築業者や工務店）が利用可能な状態に設けられている。また、ネットワーク３には、メーカー７が使用する製造側端末装置８が接続されている。つまり、メーカー７では、製造側端末装置８によって受注内容を確認し、発注者６に構成部品１０を配送することができる。
【００２３】
サーバー２は、発注側端末装置４からの指示を、ネットワーク３を介して受信し、これらの指示に応じた処理を行うものである。ハード構成としては、汎用のコンピュータと同様、主記憶装置、演算装置、及び制御装置から構成される中央処理装置と、キーボードやポインティングデバイス等、情報を直接入力するための入力装置と、サーバーの中で処理された情報を取出すディスプレイ等の出力装置と、ネットワーク３を介してデータの送受信を行うモデム等の通信手段と、ハードディスク等から構成された記憶装置１１とを備えている。
【００２４】
なお、通信手段は、図２に示すように、発注側端末装置４からデータを受信する受信手段１２、及び発注側端末装置４にデータを送信する送信手段１３を有する通信制御手段１４によって制御されるようになっている。
【００２５】
また、記憶装置１１には、選択マスタ１６、形状図面データベース１７、構成部品データベース１８、及び在庫管理データベース１９が記憶されている。選択マスタ１６は、発注者６に、構成要素１７ａの組合せパターン（後述する）や、階段の各部における希望寸法等を選択させるための基本データであり、形状マスター、寸法マスター、色マスター、及び素材マスター等を含んでいる。
【００２６】
また、形状図面データベース１７は、階段を機能的な観点によって、複数の成分すなわち複数の構成要素１７ａに分別し、これらの構成要素１７ａの組合せ可能なパターンを、構成要素１７ａの組合せによって得られる階段の形状図面１７ｂとして記憶しているものである。ここで、構成要素１７ａには、「直階段の段数」、「廻り階段の段数」、「廻り方向」、「上部階段の有無」、及び「上部階段の段数」等が含まれ、これらの組合せと形状図面とが対応して記憶されている。なお、この形状図面は寸法に対応しておらず、階段のサイズが異なっていても、構成要素１７ａの組合せパターンが同一であれば同じ形状図面１７ｂとなる。また、形状図面１７ｂには、階段の全体的な形状を表す全体形状図面と、階段の組合せ途中における部分形状図面とが含まれている。なお、詳細については後述する。ここで、形状図面データベース１７が本発明の形状記憶手段に相当する。
【００２７】
構成部品データベース１８は、構成部品１０に関するデータを記憶しているものである。なお、これらのデータには、構成部品１０の名称、品番、標準寸法、及び価格等が含まれ、各構成部品１０に対応するように表形式で記憶されている。ここで、構成部品データベース１８が本発明の寸法記憶手段に相当する。また、在庫管理データベース１９には、常備された在庫の種類及び個数等を含む在庫情報と、生産所要日数に関する生産確認情報と、構成部品１０を配送する際に必要となる運賃に関する運賃情報とが記憶されている。
【００２８】
ところで、このサーバー２には、受発注支援プログラムがインストールされており、このプログラムを実行させることにより、以下に示す機能的構成を有するものになる。
【００２９】
すなわち、図２に示すように、サーバー２は、入力画面作成手段２２、出力制御手段２３、形状抽出手段２４、必要寸法算出手段２５、及び構成部品抽出手段２６を有している。入力画面作成手段２２は、構成要素１７ａの組合せパターンや、階段の各部における希望寸法等を、発注者６に選択させるためのものであり、質問形式の入力画面が、選択マスタ１６に記憶された各データに基づいて作成される。つまり、選択可能な数値や組合せを発注側端末装置４に順次表示させ、その中から所望の数値や組合せを選択させるようにしている。なお、入力画面作成手段２２において作成された入力画面は、出力制御手段２３によって送信用信号に変換され、送信手段１３に送られる。
【００３０】
形状抽出手段２４は、入力画面作成手段２２によって作成された質問形式の入力画面に、希望組合せパターンに関する情報が入力されると、希望組合せパターンに対応する階段の形状図面を、形状図面データベース１７から抽出し、出力制御手段２３に送出するものである。
【００３１】
必要寸法算出手段２５は、質問形式の入力画面に、さらに希望寸法に関する情報や素材に関する情報が入力されると、希望組合せパターン及び希望寸法等から構成部品１０の種類を選定するとともに、個々の構成部品１０における必要寸法を算出するものである。なお、必要寸法を算出する際には、現場において加工されるときに必要となる加工しろの長さが加味される。
【００３２】
構成部品抽出手段２６は、必要寸法算出手段２５によって算出された必要寸法と、構成部品データベース１８に記憶された個々の構成部品１０の標準寸法とを比較して、この階段に適切な構成部品１０を選定するものである。つまり、寸法に関して言えば、必要寸法と等しいか、あるいはそれより大きなサイズの構成部品１０が選定される。また、構成部品抽出手段２６では、標準寸法抽出部２７によって構成部品１０の標準寸法が抽出され、価格抽出部２８によって構成部品１０の価格及び品番等が抽出され、個数算出部２９によって構成部品１０の個数が算出される。このように、抽出または算出された構成部品１０に関する情報は、出力制御手段２３に送られる。これにより、発注側端末装置４に、構成部品１０に関する情報、すなわち見積情報を送信することが可能になる。ここで、出力制御手段２３は、本発明の形状情報出力手段、寸法情報出力手段、及び見積情報出力手段として機能している。
【００３３】
また、サーバー２は、機能的構成として、受注処理手段３０を備えている。これは、受信手段１２を介して発注側端末装置４から受注情報が入力された場合に、在庫管理データベース１９に記憶されている各データに基づいて、構成部品１０の納期や運賃等を算出し、出力制御手段２３に出力するものである。なお、受注処理手段３０が受注した受注情報は、記憶装置１１の受注情報記憶部２０に記憶される。
【００３４】
一方、発注側端末装置４は、ブラウザソフトがインストールされた汎用のコンピュータであり、主記憶装置、演算装置、及び制御装置から構成される中央処理装置と、ネットワーク３を介してデータを送受信する通信装置とを備えている。なお、通信装置は、受信手段３６及び送信手段３７を有する通信制御手段３８によって制御される。また、発注側端末装置４には、キーボードやポインティングデバイス等の入力装置３９と、ディスプレイ４０を制御する表示制御手段４１とが設けられている。
【００３５】
さらに、発注側端末装置４には、機能的構成として、入力画面が表示された際に、入力装置３９を用いて組合せ情報（希望組合せパターンを含む情報）を入力または選択するための組合せ情報入力部４２、及び同じく入力装置３９を用いて寸法情報（階段の各部における希望寸法を含む情報）を入力または選択するための寸法情報入力部４３を有する住宅構成物指示手段４４が備えられている。また、見積りを指示するための見積り指示手段４５と、見積情報の確認後、発注を指示するための発注指示手段４６も備えられている。
【００３６】
次に、本実施形態の受発注支援システム１の動作、特にサーバー２の処理（本発明の受発注支援プログラムに相当）について、図６に基づき説明する。まず、サーバー２は、いずれかの発注側端末装置４からアクセスがあった場合（ステップＳ１においてＹＥＳ）、その発注側端末装置４に情報入力画面を出力する（ステップＳ２）。これにより、発注側端末装置４のディスプレイ４０において情報入力画面が表示されるとともに、発注者６は、組合せ情報及び寸法情報等を入力することが可能になる。
【００３７】
そして、サーバー２は、組合せ情報が順次入力されると（ステップＳ３においてＹＥＳ）、その入力に応答し、階段の中で、パターンの確定した部分から順番に形状図面（部分形状図面）を抽出し、発注側端末装置４に送信する。具体的に、構成要素「直階段の段数」に対して「四段」が選択された場合には、図４の（ａ）に示すように、四段の直階段の平面形状を示す部分形状図面３２を出力する。その後、構成要素「廻り階段の段数」に対して「六段」が選択され、且つ構成要素「廻り階段の向き」に対して「右」が選択された場合には、図４の（ｂ）に示すように、四段の直階段と六段の右回り階段とを組合せた階段を示す部分形状図面３３を出力する。なお、部分形状図面３３は、部分形状図面３２に重ねて表示されるため、廻り階段の部分のみを追加したように見せることができる。さらに、構成要素「上部階段の段数」に対して「四段」が選択された場合には、図４の（ｃ）に示すように、四段の直階段、六段の右回り階段、及び四段の上部階段を組み合わせた全体形状図面３４を出力する。このように、組合せパターンが全て確定するまで（ステップＳ５においてＮＯ）、ステップＳ３，Ｓ４の処理を繰返し、形状図面を段階的に表示させる。
【００３８】
次に、サーバー２は、構築しようとする階段、すなわちディスプレイ４０に表示された階段に関して、寸法、色、及び素材等を含む寸法情報が入力されたか否かを判断する。ここで、「各部」には、柱角の大きさ、柱と柱との間隔、踏み板幅、踏み板厚、階高、踏み面の高さ、及び鼻の出等が含まれる。そして、これらの寸法情報が入力された場合には（ステップＳ６においてＹＥＳ）、階段を構築するのに適した構成部品１０の種類を選定するとともに、構成部品１０における必要寸法を算出する（ステップＳ７）。例えば、柱角の大きさと柱の間隔とから柱内寸法を求め、これに加工しろを加えて必要な踏み板長さを算出する。また、踏み面の長さ、蹴上げの高さ（階高／総段数）、及び直階段の段数から、直階段の側板の長さを算出する。
【００３９】
その後、算出された必要寸法に一致する構成部品１０、または一致するものがない場合には必要寸法より大きな寸法の構成部品１０を抽出する（ステップＳ８）。なお、この際、色や素材に関する情報も選定条件とされる。また、各構成部品１０の個数を算出する（ステップＳ９）。例えば、直階段の段数と上部階段の段数とを加え、それを踏み板の個数とする。
【００４０】
そして、このように構成部品１０に関するデータを取得した後、これらのデータを構成部品情報として発注側端末装置４に出力する（ステップＳ１０）。これにより、発注側端末装置４のディスプレイ４０には、図５に示すような表示画面が表示され、発注者６は、階段の形状を確認できるとともに、必要な構成部品１０を見積情報として認識することが可能になる。なお、画面には、各構成部品１０の名称Ｍ、品番Ｎ、数量Ｃ、サイズ（寸法）Ｓ、及び価格Ｋが表形式で表示される。
【００４１】
その後、発注側端末装置４から、発注の指示、納入場所、及び納入方法等を含む発注情報が入力されると（ステップＳ１１においてＹＥＳ）、在庫管理データベース１９に基づいて、納期や運賃を求め、受注情報として発注側端末装置４に出力する。
【００４２】
上記一連の作業により、発注者６から受注者５に構成部品１０が発注され、メーカー７から発注者６に構成部品１０を配送することが可能になる。なお、メーカー７自身が受注者５となってもよいことは言うまでもない。
【００４３】
このように、上記の受発注支援システム１では、発注側端末装置４において、構成要素１７ａの組合せパターンを指示することにより、そのパターンに対応した階段の形状図面１７ｂを表示させることが可能になる。このため、図面を作成するという手間がなくなり、発注者６の負担を軽くすることができる。また、表示された形状図面１７ｂに基づいて発注されることにより、発注内容が受注者５に正確に伝わり、これにより発注内容の確認作業を省くことが可能となり、受注者５の労力も低減できる。さらに、階段を構築するために必要な構成要素１７ａを、発注側端末装置４において認識することが可能になり、設計等に不慣れな発注者６であっても、間違いなく注文することができる。
【００４４】
特に、形状図面１７ｂにおいては、各種寸法によってパターンを変更しないことから、固定化されたパターンとして登録すればよく、ＣＡＤによる毎回の作図が必要でなくなる。これにより、作図に伴う複雑な作業を発注者６に強いることがなく、極めて容易に作業を行なわせることができるとともに、発注側端末装置４におけるアプリケーションプログラムの導入や能力の負担を低減することができる。また、固定化された図形を表示することから、図形の簡略化を図ることが可能になり、携帯端末等、比較的小さな画面の端末装置であっても対応することが可能である。
【００４５】
また、上記の受発注支援システム１では、入力される形状情報に対応して、階段の部分的な形状から全体形状に変化するように、形状図面を段階的に表示させることができるため、発注者６は、表示された図形を確認しながら構成要素１７ａの組合せを決めることができる。このため、発注者６の作業性を高めるとともに、発注者６自身に、図面を作成しているという創作意欲を与え、楽しみながら作業を行なわせることができる。特に、複数の部分形状図面及び全体形状図面を順に重ねて表示させることから、プログラムの構成が容易になるとともに、表示される所定の要素と別の要素との間でズレが生じたりすることがなく、常に見栄えのよい形状図面を表示させることができる。
【００４６】
さらに上記の受発注支援システム１では、見積情報を表示させることが可能になるため、発注者６は、必要とされる各構成部品１０の価格を認識でき、速やかに発注を行なうことが可能になる。
【００４７】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４８】
すなわち、本実施形態の受発注支援システム１では、発注側端末装置として、汎用のコンピュータを用いるものを示したが、発注側端末装置は、ネットワーク３を介してサーバー２にアクセスできるものであればよく、例えば携帯電話等を利用することも可能である。
【００４９】
また、本実施形態の受発注支援システム１では、形状図面と構成部品情報とを、同一画面上に表示させるものを示したが、別の画面として表示させるようにしても構わない。ただし、本実施形態のように表示させることにより、形状図面を見ながら構成部品１０を確認できるため、構成部品１０の確認作業が容易となる。
【００５０】
【発明の効果】
以上のように、請求項１の発明の受発注支援システムは、発注側端末装置において、構成要素の組合せパターンを指示することにより、そのパターンに対応した住宅構成物の形状図面を表示させることが可能になる。このため、発注者が住宅構成物の図面を作成する、という手間がなくなり、発注者の負担を軽くすることができる。また、表示された形状図面に基づいて発注されることにより、発注内容が受注者に正確に伝わり、これにより発注内容の確認作業を省くことが可能となり、受注者の労力も低減できる。さらに、住宅構成物を構築するために必要な構成部品を、発注側端末装置において認識することが可能になり、設計等に不慣れな発注者であっても、間違いなく注文することができる。また、メーカーにおける標準部品を用いて住宅構成物を構築できるため、各構成部品を安価に且つ速やかに納入することが可能である。
【００５１】
請求項２の発明の受発注支援システムは、請求項１の発明の効果に加え、形状図面を段階的に表示させるため、発注者は、パターンを確認しながら構成要素の組合せを決めることができる。このため、発注者の作業性を高めるとともに、発注者自身に、図面を作成しているという創作意欲を与えることができる。
【００５２】
請求項３の発明の受発注支援システムは、請求項１または請求項２の発明の効果に加え、発注側端末装置に見積情報を表示させることが可能になるため、発注者は、必要とされる各構成部品の価格を認識でき、速やかに発注を行なうことが可能になる。
【００５３】
請求項４の発明の受発注支援プログラムは、実行させることにより、サーバーから発注側端末装置に、住宅構成物の形状図面及び構成部品の情報を出力することが可能になり、発注者及び受注者の負担を軽くできるとともに、速やかに且つ正確に受発注を行なわせることができる。
【図面の簡単な説明】
【図１】本発明の一実施形態である受発注支援システムの構成を示す説明図である。
【図２】受発注支援システムにおけるサーバーの機能的構成を示すブロック図である。
【図３】受発注支援システムにおける発注側端末装置の機能的構成を示すブロック図である。
【図４】発注側端末装置において表示される形状図面の一例を示す説明図である。
【図５】発注側端末装置における表示画面の一例を示す説明図である。
【図６】サーバーにおける処理の流れを示すフローチャートである。
【符号の説明】
１  受発注支援システム（住宅構成物の受発注支援システム）
２  サーバー
３  ネットワーク（通信ネットワーク）
４  発注側端末装置
１０  構成部品
１７  形状図面データベース（形状記憶手段）
１７ａ  構成要素
１７ｂ  形状図面
１８  構成部品データベース（寸法記憶手段）
２３  出力制御手段（形状情報出力手段，寸法情報出力手段，見積情報出力手段）
２４  形状抽出手段
２７  標準寸法抽出部（寸法抽出手段）
２９  個数算出部（個数算出手段）
３２  部分形状図面
３３  部分形状図面
３４  全体形状図面
【図１】
0003995908.tif 000002
【図２】
0003995908.tif 000003
【図３】
0003995908.tif 000004
【図４】
0003995908.tif 000005
【図５】
0003995908.tif 000006
【図６】
0003995908.tif 000007